(57)【特許請求の範囲】
【請求項１】
中空扉の木口に一端面を固定して内蔵される錠箱の両側面を、対面する扉の両内壁面に当接支持する錠箱の位置決め機構であって、
前記錠箱に固定される固定板と、
該固定板に上下方向のピンを介して揺動自在に支持された一対の脚からなり開脚することで開脚側先端が前記錠箱の前記両側面より突出して前記扉の両内壁面に近接する開閉支持脚と、
該開閉支持脚の前記一対の脚の基端座面に当接しかつ上下方向の揺動軸を有する押圧部材と、
前記揺動軸を回動自在に支持して該押圧部材を保持する保持部材と、
前記扉の木口に一部分を露出させ該露出部の操作によって前記保持部材を介して前記押圧部材を前記一対の脚の基端座面に押圧可能とした操作手段と、
前記一対の開閉支持脚のそれぞれの開脚側先端に、前記ピンと同方向の軸を介して回動自在に支持され開脚側外面が前記扉の内壁面に当接する当接部材と、
を具備したことを特徴とする錠箱の位置決め機構。
【請求項２】
請求項１記載の錠箱の位置決め機構が、前記錠箱の上部及び下部のそれぞれに設けられたことを特徴とする錠箱の位置決め機構。
【請求項３】
前記操作手段が、前記固定板に回動自在に支持され先端部を前記保持部材に螺合させるとともに、扉の木口に露出させた前記露出部である頭部の回動操作によって前記保持部材を介して前記押圧部材を前記一対の脚の基端座面に押圧可能とした調整ネジであることを特徴とする請求項１又は２に記載の錠箱の位置決め機構。
【請求項４】
前記木口に露出される前記調整ネジの頭部が、前記木口に固定されるフロント板によって覆われることを特徴とする請求項３記載の錠箱の位置決め機構。
【請求項５】
前記当接部材が、前記扉の内壁面と平行な折曲当接片部を有することを特徴とする請求項１，２，３，４のいずれか１つに記載の錠箱の位置決め機構。
【発明の詳細な説明】
【技術分野】
【０００１】
本発明は、中空扉に内蔵される錠箱を、扉の両内壁面にがたつきなく支持して位置決めする錠箱の位置決め機構に関する。
【背景技術】
【０００２】
扉に内蔵される錠箱は、扉の室内外側に取り付けられるノブ、室外側に露出するシリンダー錠、室内側に露出するサムターンなどを有して構成される。錠箱にはロック部材であるデッドボルトが扉の吊り元と反対側の端面、所謂木口から進退自在に設けられる。デッドボルトは、屋外側に露出されたシリンダー錠の鍵孔に、合鍵（キー）を挿入して回転操作することにより、扉の木口より進退されて、扉枠側に対して施解錠を行う一方、屋内側からは、サムターン摘みが回転操作されるのみで進退され、扉の施解錠を簡便に行えるようにしている。
【０００３】
錠箱は、扉に内蔵される状態で扉に対して斜めに取り付けられると、扉表裏面のノブやシリンダ、サムターンなどの構成部品、或いはラッチやデッドボルトなどの取付けに支障をきたす。特に扉が中空である場合には、木口部分のみで錠箱を支持することができず、扉内面と錠箱との間に何らかの支持部材が必要となる。従来、一般的な中空扉では、扉の厚み方向のセンターに、錠箱の厚み方向のセンターが一致して錠箱が不具合なく取付けられた。これら扉センターと錠箱センターとを合わせるには、錠箱の表裏面に同等長さの支持部材、例えば棒状突起やスタッドボルトなどを設けたり、或いは下記特許文献１に開示される錠箱における振れ止め装置のように、木口側からネジを回転することで同距離突出する杆状部材で、扉両内壁面への支持を行っていた。
【特許文献１】実公昭５２−５１６６５号公報
【発明の開示】
【発明が解決しようとする課題】
【０００４】
しかしながら、近年、扉のデザイン性などの要請から、扉の厚み方向のセンターに錠箱のセンターが一致しない構造で錠箱の取り付けられる扉が増えてきている。この場合、上記した中空構造の扉では、棒状突起やスタッドボルトなどの支持部材を、左右均等な長さでないもので別途に用意したり、また、特許文献１に開示される振れ止め装置の場合には、一対の杆状部材の一方の長さよりも、他方の長さを短く切除加工するなどして突出長さを変更し、錠箱支持位置の偏芯に対応させていた。これらの対応策では、いずれも支持部材や杆状部材を切除する煩雑な別途加工が必要となり、このような加工作業が錠箱取付け現場にて行われる場合には、錠箱の取付け作業性が著しく低下するとともに、錠箱の位置決め精度も低下することとなった。このことは、扉の建て付け性の低下や、或いは防犯性の不具合となる場合もある。
さらに、従来の錠箱の位置決め機構では、扉両内壁面へ当接して錠箱を支持する支持部材が点接触で扉内壁面に接触するものがあり、このような場合には所定の錠箱支持力を得るために接触圧を高めて行くと、扉内壁面に応力集中が発生し、扉内壁面を外面側へ変形させてしまう虞があった。このような事態は、特に錠箱交換等のメンテナンス時に発生し易かった。
【０００５】
本発明は上記状況に鑑みてなされたもので、扉の厚み方向のセンターに、錠箱の厚み方向のセンターが一致しない錠箱の取付け構造においても、錠箱を扉の両内壁面に高精度かつ確実に支持することのでき、しかも、扉内壁面に変形を生じさせない錠箱の位置決め機構を提供し、もって、作業性、取付け精度の向上を図ることを目的とする。
【課題を解決するための手段】
【０００６】
次に、上記の課題を解決するための手段を、実施の形態に対応する図面を参照して説明する。
本発明の請求項１記載の錠箱１１の位置決め機構は、中空扉６１の木口に一端面を固定して内蔵される錠箱１１の両側面を、対面する扉６１の両内壁面６１ａ，６１ｂに当接支持する錠箱１１の位置決め機構であって、
前記錠箱１１に固定される固定板１と、
該固定板１に上下方向のピン１９を介して揺動自在に支持された一対の脚２１，２３からなり開脚することで開脚側先端が前記錠箱１１の前記両側面より突出して前記扉６１の両内壁面６１ａ，６１ｂに近接する開閉支持脚３と、
該開閉支持脚３の前記一対の脚２１，２３の基端座面２１ａ，２３ａに当接しかつ上下方向の揺動軸４５，４５を有する押圧部材５と、
前記揺動軸４５，４５を回動自在に支持して該押圧部材５を保持する保持部材７と、
前記扉６１の木口に一部分を露出させ該露出部の操作によって前記保持部材７を介して前記押圧部材５を前記一対の脚２１，２３の基端座面２１ａ，２３ａに押圧可能とした操作手段９と、
前記一対の開閉支持脚３のそれぞれの開脚側先端２１ｂ，２３ｂに、前記ピン１９と同方向の軸８１，８３を介して回動自在に支持され開脚側外面７１ａ，７３ａが前記扉６１の内壁面６１ａ，６１ｂに当接する当接部材７１，７３と、
を具備したことを特徴とする。
【０００７】
この錠箱１１の位置決め機構では、ピン１９を中心に開閉脚される開閉支持脚３が、基端座面２１ａ，２３ａに当接した押圧部材５の揺動によって、一定の開脚角度で錠箱１１の一方の側面側又は他方の側面側へと振られることとなる。つまり、その振れ量によって開閉支持脚３先端の錠箱両側面からの突出長が異なるものとなる。したがって、扉３１の厚み方向のセンターに、錠箱１１の厚み方向のセンターが一致しない錠箱１１の取付け構造においても、操作手段が操作され、押圧部材５を介して開閉支持脚３が押圧されて行けば、偏芯した錠箱１１の位置に対応して開閉支持脚３が左右いずれか一方の扉内壁面６１ａに近接した後、他方の扉内壁面６１ｂに近接し、錠箱に対して左右で突出長が異なった状態で開閉支持脚３が扉６１の両内壁面６１ａ，６１ｂに支持されることとなる。
これに加え、開閉支持脚３が常に当接部材７１，７３を介して両内壁面６１ａ、６１ｂに当接することとなり、開閉支持脚３が両内壁面６１ａ，６１ｂに点接触することがなくなり、扉内壁面６１ａ，６１ｂに応力集中が発生しなくなる。
【０００８】
請求項２記載の錠箱１１の位置決め機構は、請求項１記載の錠箱１１の位置決め機構が、前記錠箱１１の上部及び下部のそれぞれに設けられたことを特徴とする。
【０００９】
この錠箱１１の位置決め機構では、錠箱１１が上下で扉６１の両内壁面６１ａ，６１ｂに開閉支持脚３を介して支持されることとなり、支持箇所が増大する。
【００１０】
請求項３記載の錠箱１１の位置決め機構は、前記操作手段が、前記固定板１に回動自在に支持され先端部を該保持部材７に螺合させるとともに、扉６１の木口に露出させた頭部４１の回動操作によって該保持部材７を介して前記押圧部材５を前記一対の脚２１，２３の基端座面２１ａ，２３ａに押圧可能とした調整ネジ９であることを特徴とする。
【００１１】
この錠箱１１の位置決め機構では、操作手段が、固定板１に回動自在に支持され先端部を保持部材７に螺合させるとともに、扉６１の木口に露出させた露出部である頭部４１の回動操作によって保持部材７を介して押圧部材５を一対の脚２１，２３の基端座面２１ａ，２３ａに押圧可能とした調整ネジ９であるので、この調整ネジ９の回動によって押圧部材５が脚２１，２３の基端座面２１ａ，２３ａに当接する。そして、この押圧部材５が、上下方向の揺動軸４５，４５を介して揺動自在に保持部材７に保持されているので、ピン１９を中心に開閉脚される開閉支持脚３が、基端座面２１ａ，２３ａに当接した押圧部材５の揺動によって、一定の開脚角度で錠箱１１の一方の側面側又は他方の側面側へと振られることとなる。
【００１２】
請求項４記載の錠箱１１の位置決め機構は、前記木口に露出される前記調整ネジ９の頭部４１が、前記木口に固定されるフロント板によって覆われることを特徴とする。
【００１３】
この錠箱１１の位置決め機構では、錠箱１１の取付け後には不要となる調整ネジ９が覆われ、見栄えが向上するとともに、調整ネジ９の無用な回動が防止される。
【００１４】
請求項５記載の錠箱１１の位置決め機構は、前記当接部材７１Ａ，７３Ａが、前記扉６１の内壁面６１ａ，６１ｂと平行な折曲当接片部７１Ａａ，７３Ａａを有することを特徴とする。
【００１５】
この錠箱１１の位置決め機構では、例えば当接部材７１Ａ，７３Ａが板部材で形成される場合であっても、板材の端面よりも大きな折曲当接片部７１Ａａ，７３Ａａを両内壁面６１ａ，６１ｂへ当接させることが可能となり、両内壁面６１ａ，６１ｂへの応力をより大きな面積に分散させることが可能となる。
【発明の効果】
【００１６】
本発明に係る請求項１記載の錠箱の位置決め機構によれば、錠箱に固定板を固定し、この固定板に対して一対の脚をピンを介して開脚・閉脚自在に支持し、この一対の脚の基端座面に、操作手段によって押圧自在な押圧部材を当接し、しかも、この押圧部材を、上下方向の揺動軸を介して揺動自在に保持部材に保持したので、ピンを中心に開閉脚される開閉支持脚が、基端座面に当接した押圧部材の揺動によって、一定の開脚角度で錠箱の一方の側面側又は他方の側面側へと振られることとなり、その結果、錠箱両側面からの脚部先端の突出長を可変させることができる。したがって、扉の厚み方向のセンターに、錠箱の厚み方向のセンターが一致しない錠箱の取付け構造においても、操作手段を操作し、押圧部材を介して開閉支持脚を押圧して行けば、偏芯した錠箱の位置に対応して開閉支持脚が左右のいずれかの扉内壁面に近接し、左右の突出長が異なった状態で開閉支持脚が扉の両内壁面に支持されることとなる。この結果、錠箱を扉の両内壁面に高精度かつ確実に支持でき、錠箱を偏芯させて取り付ける錠箱の取付け構造においても、作業性が向上されることになる。また扉に対する錠箱の取付け精度を向上させることが可能となる。
これに加え、開脚側外面を扉の内壁面に当接させる当接部材を、ピンと同方向の軸を介して一対の開閉支持脚のそれぞれの開脚側先端に回動自在に設けたので、開閉支持脚が常に当接部材を介して両内壁面に当接することとなり、開閉支持脚が両内壁面に点接触することがなくなり、扉内壁面に応力集中が発生しなくなる。これにより、錠箱を扉内壁面へ支持するに際しての扉内壁面の変形を防止することができる。
【００１７】
請求項２記載の錠箱の位置決め機構によれば、錠箱の上部及び下部のそれぞれに錠箱の位置決め機構を設けたので、錠箱が上下で扉の両内壁面に支持されることとなり、支持箇所が増大して錠箱のより確実な位置決めが可能となる。
【００１８】
請求項３記載の錠箱の位置決め機構によれば、操作手段が、固定板に回動自在に支持され先端部を保持部材に螺合させるとともに、扉の木口に露出させた露出部である頭部の回動操作によって保持部材を介して押圧部材を一対の脚の基端座面に押圧可能とした調整ネジであるので、この調整ネジの回動によって押圧部材を脚の基端座面に当接し、ピンを中心に開閉脚される開閉支持脚を、基端座面に当接した押圧部材の揺動によって、一定の開脚角度で錠箱の一方の側面側又は他方の側面側へ振ることができる。
【００１９】
請求項４記載の錠箱の位置決め機構によれば、木口に露出される調整ネジの頭部が、木口に固定されるフロント板によって覆われるので、錠箱の取付け後には不要となる調整ネジが覆われ、見栄えが向上するとともに、調整ネジが回動されることによる錠箱の支持強度の低下を防止することができる。
【００２０】
請求項５記載の錠箱の位置決め機構によれば、当接部材が、扉の内壁面と平行な折曲当接片部を有するので、例えば当接部材が板部材で形成される場合であっても、板材の端面よりも大きな折曲当接片部を両内壁面へ当接させることができ、両内壁面への応力をより大きな面積に分散させて応力集中を緩和し、両内壁面の変形をより生じ難くすることができる。
【発明を実施するための最良の形態】
【００２１】
以下、本発明に係る錠箱の位置決め機構の好適な実施の形態を図面を参照して詳細に説明する。
図１は本発明に係る錠箱の位置決め機構の設けられた錠箱上部の斜視図、図２は図１に示した錠箱の位置決め機構の分解斜視図、図３は上下に錠箱の位置決め機構が設けられた錠箱の側面図である。
本実施の形態による錠箱の位置決め機構は、中空扉の木口に一端面を固定して内蔵される錠箱１１の両側面を、対面する扉の両内壁面に当接支持するよう働く。この錠箱の位置決め機構は、少なくとも錠箱１１の上下面のいずれか一方、或いは中途位置に設けられる。本実施の形態では、図３に示すように、錠箱１１の上面と下面とのそれぞれに設けられる。
【００２２】
錠箱１１の上部及び下部のそれぞれに位置決め機構が設けられることにより、錠箱１１が上下で扉の両内壁面に支持されることとなり、支持箇所が増大して錠箱１１のより確実な位置決めが可能となるようになっている。なお、錠箱１１の上部、下部に設けられる位置決め機構は、略同一構成であるため、本実施の形態の説明では、図１に示した上部に設けられる位置決め機構のみを例に説明する。
【００２３】
錠箱の位置決め機構は、固定板１と、開閉支持脚３と、押圧部材５と、保持部材７と、操作手段である調整ネジ９とを主要な構成部材として有している。図２に示すように、固定板１は、上部固定板１３と下部固定板１５とからなる。上部固定板１３と下部固定板１５のそれぞれには支持穴１７，１７が穿設され、支持穴１７には軸線が上下方向となるピン１９の上下端が支持される。
【００２４】
上部固定板１３と下部固定板１５との間には一対の脚２１，２３からなる開閉支持脚３がピン穴２５を介してピン１９に揺動自在に支持される。下部固定板１５の木口側端には凹部２７が形成され、凹部２７は押圧部材５、保持部材７を収容する。保持部材７は、上下片を有してコ字状に形成されている。保持部材７の両側には突起２９，２９が突設され、突起２９，２９は下部固定板１５と上部固定板１３の側部に設けられた保持窓３１，３１に係合する。これにより、保持窓３１，３１は、突起２９，２９が保持窓３１，３１内を移動する範囲で、上部固定板１３及び下部固定板１５の長手方向にスライド自在に保持される。
【００２５】
下部固定板１５の木口端には支持片３３が折り曲げられて起立し、この支持片３３にはＵ字状の支持溝３５が形成される。この支持溝３５には調整ネジ９の周溝３７が嵌合される。支持片３３に支持された調整ネジ９は、先端が保持部材７の雌ネジ３９に螺合される。したがって、調整ネジ９の頭部４１が、調整治具、例えばドライバ（プラスドライバ）等の工具により回転されることで、保持部材７は、上部固定板１３及び下部固定板１５の長手方向にスライドされる。
【００２６】
保持部材７の上下片にはＣ字状の軸受け部４３，４３が形成されている。この軸受け部４３，４３には押圧部材５の上下に突出された揺動軸４５，４５が挿入されるようになっている。押圧部材５は、両側に略ハの字状に屈曲された対となる押圧片４７，４７を有している。押圧部材５は、保持部材７に揺動自在に保持された状態で、左右の押圧片４７，４７が開閉支持脚３の基端座面２１ａ，２３ａのそれぞれに当接するようになっている（図４（ａ）参照）。
【００２７】
したがって、調整ネジ９が回転操作されることで、保持部材７が開閉支持脚３に接近する方向にスライドされると、この保持部材７を介して押圧部材５が開閉支持脚３に接近する方向に移動される。これにより、押圧部材５の押圧片４７，４７が、一対の脚２１，２３のそれぞれの基端座面２１ａ，２３ａを押圧することとなる。一対の脚２１，２３は、基端座面２１ａ，２３ａが押圧片４７，４７に押圧されることによって、ピン１９を中心に、開脚側先端２１ｂ，２３ｂが開脚する方向に揺動されるようになっている。
【００２８】
また、この押圧状態において、押圧部材５は、揺動軸４５，４５を介して保持部材７に揺動自在に保持されているため、開脚された開閉支持脚３は、その開脚角度を保持したまま、押圧部材５が揺動することによって振られ、左右の脚２１，２３が錠箱１１の両側面から異なる突出長で突出可能となっている。
【００２９】
また、この錠箱１１の位置決め機構では、一対の開閉支持脚３のそれぞれの開脚側先端２１ｂ，２３ｂに、ピン１９と同方向の軸８１，８３を介して当接部材７１，７３が回動自在に支持されている。本実施の形態では、当接部材７１，７３が、一つの角部にＲを形成した短冊状の板材からなる。当接部材７１，７３は、開閉支持脚３の開脚側先端２１ｂ，２３ｂが開脚されると、開脚側外面７１ａ，７３ａが扉の内壁面に当接する。脚２１，２３のそれぞれには、当接部材７１，７３の逆回りを防止する突起７５，７５が突設されている。
【００３０】
上部固定板１３は、開閉支持脚３を開閉自在に保持するとともに、保持部材７、押圧部材５、調整ネジ９を保持した状態で、組付けネジ５１によって一体に錠箱１１に固定される。このようにして錠箱１１の上面、下面には位置決め機構が固定される。固定された錠箱の位置決め機構は、図３に示すように、木口に表出する取付け固定板５３に穿設された貫通穴５５から調整ネジ９の頭部４１が木口に露出されるようになっている。したがって、この貫通穴５５に挿入された工具によって調整ネジ９が回動操作可能となっている。
【００３１】
この取付け固定板５３の表面にはさらに図示しないフロント板が取り付けられる。木口に露出される調整ネジ９の頭部４１が、木口に固定されるフロント板によって覆われるので、錠箱１１の取付け後には不要となる調整ネジ９が覆われ、見栄えが向上するとともに、調整ネジ９が回動されることによる錠箱１１の支持強度の低下が防止されるようになっている。
【００３２】
次に、このように構成される錠箱の位置決め機構の作用を説明する。
図４は扉の厚み方向のセンターに錠箱の厚み方向のセンターが一致する錠箱取付け構造においての開閉支持脚の支持過程を（ａ）（ｂ）（ｃ）で表した動作説明図、図５は扉の厚み方向のセンターに錠箱の厚み方向のセンターが一致しない錠箱取付け構造においての開閉支持脚の支持過程を（ａ）（ｂ）（ｃ）で表した動作説明図である。
図４に示すように、扉６１の厚み方向のセンターに錠箱１１の厚み方向のセンターが一致する錠箱取付け構造では、調整ネジ９が回転されることにより、押圧部材５が開閉支持脚３の基端座面２１ａ，２３ａを押圧し、それにより、図４（ｂ）〜図４（ｃ）に示すように、開閉支持脚３の開脚側先端２１ｂ，２３ｂが均等に開脚されて行く。その結果、開閉支持脚３の開脚側先端２１ｂ，２３ｂが同時に扉６１の両内壁面６１ａ，６１ｂに当接し、錠箱１１は木口６３に固定される端面側と、両内壁面６１ａ，６１ｂに当接した開閉支持脚３とによってがたつきなく、扉６１のセンターに位置決めされることになる。また、この際、開閉支持脚３が常に当接部材７１，７３を介して両内壁面６１ａ，６１ｂに当接することとなり、開閉支持脚３が点接触することがなくなり、扉内壁面６１ａに応力集中が発生しなくなる。
【００３３】
一方、図５に示すように、扉６１の厚み方向のセンターＤＣに錠箱１１の厚み方向のセンターＬＣが一致しない錠箱取付け構造では、扉６１のセンターに対し、錠箱１１のセンターＬＣがδだけ偏芯して配置される。この状態で、図５（ｂ）に示すように、調整ネジ９が回転されると、最初は開閉支持脚３が均等に開閉されて行く。その後、近接する側の内壁面６１ａに、一方の一対の脚２３の脚先端２３ｂが当接する。この状態でさらに調整ネジ９が回転されると、開閉支持脚３は、一方の脚２３を内壁面６１ａに当接させたまま、他方の脚２１のみが開かれて行くこととなる。すなわち、押圧部材５が保持部材７に対して揺動することで他方の脚２１側が開脚する。その結果、最終的には図５（ｃ）に示すように、他方の脚２１の開脚側先端２１ｂが内壁面６１ｂに当接し、錠箱１１は、木口６３に一端面が固定されるとともに、錠箱１１に対して異なる距離で離間されたそれぞれの両内壁面６１ａ，６１ｂに、一対の脚２１、２３が当接して、がたつきなく扉６１に位置決めされることになる。この場合においても、開閉支持脚３が常に当接部材７１，７３を介して両内壁面６１ａ，６１ｂに当接することとなり、扉内壁面６１ａに応力集中が発生しなくなる。
【００３４】
したがって、上記の錠箱の位置決め機構によれば、錠箱１１に固定板１を固定し、この固定板１に対して一対の脚２１，２３をピン１９を介して開脚・閉脚自在に支持し、この一対の脚２１，２３の基端座面２１ａ，２３ａに、調整ネジ９の回動によって押圧自在な押圧部材５を当接し、しかも、この押圧部材５を、上下方向の揺動軸４５，４５を介して揺動自在に保持部材７に保持したので、ピン１９を中心に開閉脚される開閉支持脚３が、基端座面２１ａ，２３ａに当接した押圧部材５の揺動によって、一定の開脚角度で錠箱１１の一方の側面側又は他方の側面側へと振られることとなり、その結果、錠箱両側面からの開脚側先端２１ｂ，２３ｂの突出長を可変させることができる。
【００３５】
これにより、扉６１の厚み方向のセンターＤＣに、錠箱１１の厚み方向のセンターＬＣが一致しない錠箱１１の取付け構造においても、調整ネジ９を回動操作し、押圧部材５を介して開閉支持脚３を押圧して行けば、偏芯した錠箱１１の位置に対応して開閉支持脚３が左右のいずれかの扉内壁面６１ａ，６１ｂに接触し、左右の突出長が異なった状態で開閉支持脚３が両内壁面６１ａ，６１ｂに支持されることとなる。この結果、錠箱１１を扉６１の両内壁面６１ａ，６１ｂに高精度かつ確実に支持でき、錠箱１１を偏芯させて取り付ける錠箱１１の取付け構造においても、作業性を向上させることができる。また扉に対する錠箱１１の取付け精度を向上させることが可能となる。
【００３６】
また、開閉支持脚３が、常に開脚側外面７１ａ，７３ａで両内壁面６１ａ，６１ｂに当接するので、両内壁面６１ａ，６１ｂに点接触することがなく、両内壁面６１ａ，６１ｂに応力集中が発生しなくなる。これにより、錠箱１１を支持するに際しての扉両内壁面６１ａ，６１ｂの変形を防止することができる。
【００３７】
次に、本発明に係る錠箱の位置決め機構の変形例１を説明する。
図６は本発明に係る錠箱の位置決め機構の変形例１を表す分解斜視図、図７は図６に示した位置決め機構の支持状態における平面視を（ａ）、断面視を（ｂ）で表した説明図である。なお、以下の各変形例において、図１〜図５に示した部材及び部位と同一の部材及び部位には同一の符号を付し、重複する説明は省略する。
この変形例１では、当接部材７１Ａ，７３Ａが、扉６１の両内壁面６１ａ，６１ｂと平行な折曲当接片部７１Ａａ，７３Ａａを有する。すなわち、本実施の形態による当接部材７１Ａ，７３Ａは、Ｌ字状の金具からなる。
したがって、この錠箱の位置決め機構によれば、例えば当接部材７１Ａ，７３Ａが板部材で形成される場合であっても、図７（ａ）（ｂ）に示すように、板材の端面よりも大きな折曲当接片部７１Ａａ，７３Ａａを両内壁面６１ａ、６１ｂへ当接させることが可能となり、両内壁面６１ａ、６１ｂへの応力をより大きな面積に分散させることが可能となる。この結果、扉両内壁面６１ａ，６１ｂの変形をより確実に防止することができる。なお、本変形例によれば、折曲当接片部７１Ａａ，７３Ａａによって当接部材７１Ａ，７３Ａの回転を規制できるので、突起７５，７５（図２参照）の増設を不要にすることができる。
【００３８】
次に、本発明に係る錠箱の位置決め機構の変形例２を説明する。
図８は本発明に係る錠箱の位置決め機構の変形例２を表す分解斜視図、図９は図８に示した位置決め機構の支持状態における断面図である。
この変形例２では、当接部材７１Ｂ，７３Ｂが、扉６１の両内壁面６１ａ，６１ｂと平行な折曲当接片部７１Ｂａ，７３Ｂａを有する。すなわち、本実施の形態による当接部材７１Ｂ，７３Ｂは、コ字状の部材からなる。
したがって、この錠箱の位置決め機構によれば、例えば当接部材７１Ｂ，７３Ｂが板部材で形成される場合であっても、図８に示すように、板材の端面よりも大きな折曲当接片部７１Ｂａ，７３Ｂａを両内壁面６１ａ，６１ｂへ当接させることが可能となり、両内壁面６１ａ，６１ｂへの応力をより大きな面積に分散させることが可能となる。この結果、扉両内壁面６１ａ，６１ｂの変形をより確実に防止することができる。また、この変形例では、当接部材７１Ｂ，７３Ｂがコ字状となることで、当接部材７１Ｂ，７３Ｂ自体の強度も向上させることができる。なお、本変形例によれば、折曲当接片部７１Ｂａ，７３Ｂａによって当接部材７１Ｂ，７３Ｂの回転を規制できるので、突起７５，７５（図２参照）の増設を不要にすることができる。
【図面の簡単な説明】
【００３９】
【図１】本発明に係る錠箱の位置決め機構の設けられた錠箱上部の斜視図である。
【図２】図１に示した錠箱の位置決め機構の分解斜視図である。
【図３】上下に錠箱の位置決め機構が設けられた錠箱の側面図である。
【図４】扉の厚み方向のセンターに錠箱の厚み方向のセンターが一致する錠箱取付け構造においての開閉支持脚の支持過程を（ａ）（ｂ）（ｃ）で表した動作説明図である。
【図５】扉の厚み方向のセンターに錠箱の厚み方向のセンターが一致しない錠箱取付け構造においての開閉支持脚の支持過程を（ａ）（ｂ）（ｃ）で表した動作説明図である。
【図６】本発明に係る錠箱の位置決め機構の変形例１を表す分解斜視図である。
【図７】図６に示した位置決め機構の支持状態における平面視を（ａ）、断面視を（ｂ）で表した説明図である。
【図８】本発明に係る錠箱の位置決め機構の変形例２を表す分解斜視図である。
【図９】図８に示した位置決め機構の支持状態における断面図である。
【符号の説明】
【００４０】
１…固定板
３…開閉支持脚
５…押圧部材
７…保持部材
９…操作手段（調整ネジ）
１１…錠箱
１９…ピン
２１，２３…一対の脚
２１ａ，２３ａ…基端座面
２１ｂ，２３ｂ…開脚側先端
４１…露出部（頭部）
４５…揺動軸
６１…扉
６１ａ，６１ｂ…両内壁面
７１，７３，７１Ａ，７３Ａ，７１Ｂ，７３Ｂ…当接部材
７１Ａａ，７３Ａａ，７１Ｂａ，７３Ｂａ…折曲当接片部
７１ａ，７３ａ…開脚側外面
８１，８３…軸
【図１】
0004566835.tif 000002
【図２】
0004566835.tif 000003
【図３】
0004566835.tif 000004
【図４】
0004566835.tif 000005
【図５】
0004566835.tif 000006
【図６】
0004566835.tif 000007
【図７】
0004566835.tif 000008
【図８】
0004566835.tif 000009
【図９】
0004566835.tif 000010